(57)【特許請求の範囲】
【請求項１】
ブリスルを備えたブリスル基台と、ブリスル基台を取付けるブラシ台とから構成されるヘアーブラシにおいて、ブリスル基台をブラシ台に嵌合する嵌合凸部と嵌合凹部とがブリスル基台の表面及びブラシ台の表面と同一平面内に形成され且つ嵌合凸部と嵌合凹部との嵌合縁が凹凸になっていることを特徴とするヘアーブラシ。
【請求項２】
嵌合縁の凹凸が波形になっていることを特徴とする請求項１記載のヘアーブラシ。
【請求項３】
ブリスルを備えたブリスル基台と、ブリスル基台を取付けるブラシ台とから構成されるヘアーブラシにおいて、ブリスル基台とブラシ台の嵌合部分に、嵌合状態において対向する縦壁面を各々形成し、縦壁面の一方に縦壁面の対向方向に嵌合爪を突設し、他方に嵌合溝を形成し、嵌合爪と嵌合溝とを嵌合させると共に、ブリスル基台の縦壁面の下端に設けた係止爪を、ブラシ台の縦壁面の下端に設けた受面部分に係合させて成ることを特徴とするヘアーブラシ。
【請求項４】
嵌合縁の凹凸がブラシ長手方向に沿う両側部に形成されていることを特徴とする請求項３記載のヘアーブラシ。
【発明の詳細な説明】
【０００１】
【発明の属する技術分野】
本発明は、ブリスルを備えたブリスル基台と、ブリスル基台を取付けるブラシ台とから構成されるヘアーブラシに関し、詳しくは、ブリスル基台をブラシ台に嵌合する嵌合縁における隙間に毛髪が挟まる等してブラッシング時に毛髪が傷つけられるのを回避しようとする技術に係るものである。
【０００２】
【従来の技術】
従来においては、図６に示す特開平３−１６５０２号のように、スチームを発生させる液体（水）を充填している液体供給部材４ａを毛髪巻付け部材２ａの先端部に設け、液体供給部材４ａを毛髪巻付け部材２ａ側の端部にオーバーラップさせて先端部の液体供給部材４ａと毛髪巻付け部材２ａとの間に毛髪が挟まれるのを回避ようとするものである。
【０００３】
【発明が解決しようとする課題】
ところが、このような構成のものにおいては、ブラシッングに伴って、毛髪が、液体供給部材４ａのオーバーラップ部４ｂ側から毛髪巻付け部材２ａの被オーバーラップ部２ｂ側に滑るとともに、水平方向に移動して液体供給部材４ａの被オーバーラップ部２ｂとオーバーラップ部４ｂとの間に入り込み、この毛髪が、ヘアーブラシの厚み方向（矢印イ方向）に移動し、結果として、毛髪が引っ掛かるという問題がある。
【０００４】
本発明はこのような問題に鑑みてなされたものであり、その目的とするところは、ブリスル基台をブラシ台に嵌合する嵌合縁における隙間に毛髪が挟まる等してブラッシング時に毛髪が傷つけられるのを回避することができるヘアーブラシを提供しようとするにある。
【０００５】
【課題を解決するための手段】
請求項１の発明においては、ブリスル１を備えたブリスル基台２と、ブリスル基台２を取付けるブラシ台３とから構成されるヘアーブラシにおいて、ブリスル基台２をブラシ台３に取付ける嵌合凸部６と嵌合凹部７とがブリスル基台２の表面及びブラシ台３の表面と同一平面内に形成され且つ嵌合凸部６と嵌合凹部７との嵌合縁が凹凸になっていることを特徴とするものである。
【０００６】
請求項２の発明においては、請求項１の発明に加えて、嵌合縁の凹凸が波形になっていることを特徴とするものである。
【０００７】
請求項３の発明においては、ブリスルを備えたブリスル基台と、ブリスル基台を取付けるブラシ台とから構成されるヘアーブラシにおいて、ブリスル基台２とブラシ台３の各々の嵌合部分に、嵌合状態において対向する縦壁面２ａ，３ａを各々形成し、縦壁面２ａ，３ａの一方に縦壁面２ａ，３ａの対向方向に嵌合爪５ａを突設し、他方に嵌合溝５ｂを形成し、嵌合爪５ａと嵌合溝５ｂとを嵌合させると共に、ブリスル基台２の縦壁面２ａの下端に設けた係止爪８を、ブラシ台３の縦壁面３ａの下端に設けた受面部分９に係合させて成ることを特徴とするものである。
【０００８】
請求項４の発明においては、請求項３の発明に加えて、嵌合縁の凹凸がブラシ長手方向に沿う両側部に形成されていることを特徴とするものである。
【０００９】
請求項１の構成においては、ブリスル基台２とブラシ台３との嵌合凸部６と嵌合凹部７とがブリスル基台２の表面及びブラシ台３の表面と同一平面内に形成され且つ嵌合凸部６と嵌合凹部７との嵌合ライン（嵌合縁）が凹凸になっていて、直線状にはならなく、ブラシッング時に毛髪がブリスル基台２とブラシ台３との嵌合縁部に入り込むのを効果的に回避することができ、毛髪の引っ掛かりをなくして、ブラシッングを円滑におこなえる。請求項２の構成においては、請求項１と同様な作用を得ることができる。
【００１０】
請求項３の構成においては、ブリスル基台２とブラシ台３との嵌合状態において、対向する縦壁面２ａ，３ａ間に毛髪が入った場合に、対向する縦壁面２ａ，３ａの下方においては、嵌合爪５ａと嵌合溝５ｂが嵌合しており、さらにその下方で係止爪８と受面部分９とが係合しているため、毛髪がそれ以上下方に入り込むことがなく、毛髪の引っ掛かりをなくし、ブラシッングを円滑におこなえる。
【００１１】
請求項４の構成においては、ブラシの長さ方向にブラシッングをおこなう場合に、毛髪の流れ方向に沿うことになるブリスル基台２とブラシ台３との嵌合縁が凹凸して、ブラシッング時に毛髪がブリスル基台２とブラシ台３との嵌合縁部に入り込むのを効果的に回避することができ、毛髪の引っ掛かりをなくして、ブラシッングを円滑におこなえる。
【００１２】
【発明の実施の形態】
以下本発明の一実施の形態を図面に基づいて詳述する。
【００１３】
図１（ａ）はブリスル１を備えたブリスル基台２の斜視図を示し、（ｂ）はブリスル基台２をブラシ台３に取付けた平面図を示している。
【００１４】
ブリスル基台２には図１（ｂ）に示すように、嵌合凸部６が形成され、ブラシ台３には嵌合凹部７が形成されている。この嵌合凸部６及び嵌合凹部７はブリスル基台２の表面及びブラシ台３の表面と同一平面内に形成されている。このような嵌合縁の凹凸は、図２に示すように、波形になっていてもよいものである。
【００１５】
しかして、ブリスル基台２とブラシ台３との嵌合ラインが直線状にはならなく、ブラシッング時に毛髪がブリスル基台２とブラシ台３との嵌合縁部に入り込むのを効果的に回避することができ、毛髪の引っ掛かりをなくして、ブラシッングを円滑におこなえるのである。図中１４は固定台である。
【００１６】
図３は更に他の実施の形態を示していて、ブリスル基台２とブラシ台３の各々の嵌合部分に、嵌合状態において対向する縦壁面２ａ，３ａを各々形成しており、これら縦壁面２ａ，３ａの一方に縦壁面２ａ，３ａの対向方向に嵌合爪５ａを突設してあり、そして、ブリスル基台２側に嵌合溝５ｂを形成したものであり、嵌合爪５ａと嵌合溝５ｂとを嵌合させるとともに縦壁面２ａ，３ａを対向するようにしたものである。
【００１７】
しかして、ブリスル基台２とブラシ台３との嵌合状態において、対向する縦壁面２ａ，３ａ間に毛髪が入った場合に、対向する縦壁面２ａ，３ａの下方においては、嵌合爪５ａと嵌合溝５ｂが嵌合していて、毛髪がそれ以上下方に入り込むことがなく、毛髪の引っ掛かりをなくし、ブラシッングを円滑におこなえるのである。
【００１８】
又、ブリスル基台２の縦壁面２ａの下端にはＬ字形の係止爪８…を形成してあり、係止爪８をブラシ台３の縦壁面３ａの下端の受面部分９に係合して、ブリスル基台２をブラシ台３に取付けることができるようにしている。
【００１９】
図４は更に他の実施の形態を示し、嵌合縁の凹凸をヘアーブラシの厚さ方向に形成したものである。具体的には、ブリスル基台２にベース板１０を設け、ベース板１０に上下方向の凸部１１を複数形成し、ブラシ台３には複数の凹溝１２を形成し、凸部１１と凹溝１２が嵌合して、毛髪がそれ以上下方に入り込むことがなく、毛髪の引っ掛かりをなくし、ブラシッングを円滑におこなえるのである。
【００２０】
図５は更に他の実施の形態を示し、図３の構成に加えて、ブリスル基台２とブラシ台３とのブラシ長手方向に沿う両側部に、上記凹凸を形成したものである。具体的には、ブリスル基台２とブラシ台３の各々の嵌合部分で、ヘアーブラシ長さ方向に沿う部分に、嵌合状態において対向する縦壁面２ｃ，３ｃを各々形成しており、これら縦壁面２ａ，３ａの一方に縦壁面２ｃ，３ｃの対向方向に嵌合爪５ａを突設してあり、具体的には、ブラシ台３側の縦壁面３ｃに嵌合爪５ａを形成してあり、そして、ブリスル基台２側に嵌合溝５ｃを形成したものであり、嵌合爪５ａと嵌合溝５ｃとを嵌合させるとともに縦壁面２ｃ，３ｃを対向するようにしたものである。
【００２１】
しかして、ブリスル基台２とブラシ台３との嵌合縁におけるブラシ長手方向の両側部においても凹凸になっていて、ブラシ長手方向の両側部においても、毛髪がブリスル基台２とブラシ台３との嵌合縁部に入り込むのを効果的に回避することができ、毛髪の引っ掛かりをなくして、ブラシッングを円滑におこなえるものである。
【００２２】
【発明の効果】
請求項１の発明においては、ブリスルを備えたブリスル基台と、ブリスル基台を取付けるブラシ台とから構成されるヘアーブラシにおいて、ブリスル基台をブラシ台に嵌合する嵌合凸部と嵌合凹部とがブリスル基台の表面及びブラシ台の表面と同一平面内に形成され且つ嵌合凸部と嵌合凹部との嵌合縁が凹凸になっているから、ブリスル基台とブラシ台との嵌合ラインが直線状にはならなく、ブラシッング時に毛髪がブリスル基台とブラシ台との嵌合縁部に入り込むのを効果的に回避することができ、毛髪の引っ掛かりをなくして、ブラシッングを円滑におこなえるという利点がある。
【００２３】
請求項２の発明においては、嵌合縁の凹凸が波形になっているから、請求項１と同様な効果を得ることができる。
【００２４】
請求項３の発明においては、ブリスルを備えたブリスル基台と、ブリスル基台を取付けるブラシ台とから構成されるヘアーブラシにおいて、ブリスル基台とブラシ台の嵌合部分に、嵌合状態において対向する縦壁面を各々形成し、縦壁面の一方に縦壁面の対向方向に嵌合爪を突設し、他方に嵌合溝を形成し、嵌合爪と嵌合溝とを嵌合させると共に、ブリスル基台の縦壁面の下端に設けた係止爪を、ブラシ台の縦壁面の下端に設けた受面部分に係合させているから、ブリスル基台とブラシ台との嵌合状態において、対向する縦壁面間に毛髪が入った場合に、対向する縦壁面の下方においては、嵌合爪と嵌合溝が嵌合し、さらにその下方で係止爪と受面部分とが係合しているから、毛髪がそれ以上下方に入り込むことがなく、毛髪の引っ掛かりをなくし、ブラシッングを円滑におこなえるという利点がある。
【００２５】
請求項４の発明においては、嵌合縁の凹凸がブラシ長手方向に沿う両側部に形成されているから、ブリスル基台とブラシ台との嵌合縁におけるブラシ長手方向に沿う両側部においても凹凸になっていて、ブラシの長さ方向にブラシッングをおこなう場合にも、毛髪がブリスル基台とブラシ台との嵌合縁部に入り込むのを効果的に回避することができ、毛髪の引っ掛かりをなくして、ブラシッングを円滑におこなえるのである。
【図面の簡単な説明】
【図１】  本発明の一実施の形態を示し、（ａ）はブリスルを備えたブリスル基台の斜視図、（ｂ）はブリスル基台をブラシ台に取付けた平面図、（ｃ）は（ｂ）のＡーＡ線断面図である。
【図２】  他の実施の形態を示し、（ａ）は平面図、（ｂ）は（ａ）のＢーＢ線断面図である。
【図３】  更に他の実施の形態を示し、（ａ）は動作を示す概略分解斜視図、（ｂ）は嵌合時の（ａ）のＣーＣ線位置の断面図である。
【図４】  更に他の実施の形態を示し、（ａ）は動作を示す概略分解斜視図、（ｂ）は嵌合時の（ａ）のＤーＤ線位置の断面図である。
【図５】  更に他の実施の形態を示し、（ａ）は動作を示す概略分解斜視図、（ｂ）は嵌合時の（ａ）のＥーＥ線位置の断面図である。
【図６】  従来例の部分拡大断面図である。
【符号の説明】
１  ブリスル
２  ブリスル基台
２ａ  縦壁面
３  ブラシ台
３ａ  縦壁面
【図１】
0003752783.tif 000002
【図２】
0003752783.tif 000003
【図３】
0003752783.tif 000004
【図４】
0003752783.tif 000005
【図５】
0003752783.tif 000006
【図６】
0003752783.tif 000007